(57)【要約】【課題】  本件考案の目的は、ゴルフボールの表面が第１の色から第２の色へ変化にともなって、文字や図形を浮きあがらせることができる、趣向に富んだゴルフボールを提供することにある。【解決手段】  本件考案のゴルフボール(1)は、太陽光を受けることにより、または気温が変化することにより第１の色(A)から第１の色(A)とは異なる第２の色(B)に変色する表面(1a)と、該表面(1a)の外側に、一部重ねて形成される、前記第１の色(A)により文字または図形を表示する印刷層(4)と、を有し、前記表面(1a)の変色前においては前記印刷層(4)が視認されず、前記表面(1a)の変色後に前記印刷層(4)が視認される。【選択図】 図２
0003104373.tif 000002
【実用新案登録請求の範囲】
【請求項１】
ゴルフボールであって、
太陽光を受けることにより、または気温が変化することにより第１の色から第１の色とは異なる第２の色に変色する表面と、
該表面の外側に、一部重ねて形成される、前記第１の色により文字または図形を表示する印刷層と、を有し、
前記表面の変色前においては前記印刷層が視認されず、前記表面の変色後に前記印刷層が視認されることを特徴とするゴルフボール。
【請求項２】
請求項１に記載されたゴルフボールであって、
前記印刷層は、前記第１の色と前記第２の色のいずれとも異なる第３の色と、前記第１の色とにより形成され、
前記表面の変色前には前記印刷層の前記第３の色のみが視認され、前記表面の変色後に前記印刷層の第３の色及び前記第１の色が組み合わされて視認されることを特徴とするゴルフボール。
【請求項３】
請求項１に記載されたゴルフボールであって、
前記印刷層は、前記第１の色と前記第２の色とにより形成され、
前記表面の変色前は第２の色の前記印刷層が視認され、前記表面の変色後は第１の色の前記印刷層が視認されることを特徴とするゴルフボール。
【考案の詳細な説明】
【技術分野】
【０００１】
本考案は紫外線等を受けると表面の色が変わるゴルフボールであって、特に表面装飾を施すことで変色する領域と変色しない領域を設け、ゴルフボールの変色に伴って図形や文字を表示することができるゴルフボールに関する。
【背景技術】
【０００２】
ゴルフボールは、例えば中心のコアとそれを覆うカバーとから構成されるが、紫外線や温度等により変色する顔料が開発されるに及んで、これらをカバーの成形材料に添加することにより、特定条件によって表面の色が変わるゴルフボールを製造することができるようになっている。
【０００３】
このようなゴルフボールでは、プレー中にボールに日光が当たり、その色を可変とすることができるために、晴天のコース上でボールを使用しつづけると徐々にゴルフボールの色が変化していき、途中で全く異なった色のゴルフボールに変化させることができる。
【０００４】
【特許文献１】特開2003-52881号
【考案の開示】
【考案が解決しようとする課題】
【０００５】
このようなゴルフボールは単純に表面の色を変化させるに過ぎず、主としてゴルフ練習場で多数打たれた練習ボールに応用されることを目的としている。すなわち、時間が経つと変色させることができる既に打たれて時間の経った多数散らばるボールと、直前に打たれたボールと区別することができるが、実際にグリーンに出て競技する場合には単純にボールの色が変化するだけでは趣向に乏しい。
【０００６】
そこで、本件考案は、ゴルフボールの表面が第１の色から第２の色へ変化にともなって、文字や図形を浮きあがらせることができる、趣向に富んだゴルフボールを提供することを目的とする。
【課題を解決するための手段】
【０００７】
本件考案にかかるゴルフボールは、太陽光を受けることにより、または気温が変化することにより第１の色から第１の色とは異なる第２の色に変色する表面と、該表面の外側に、一部重ねて形成される、前記第１の色により文字または図形を表示する印刷層と、を有し、前記表面の変色前においては前記印刷層が視認されず、前記表面の変色後に前記印刷層が視認されることを特徴とする。
【０００８】
また、前記印刷層は、前記第１の色と前記第２の色のいずれとも異なる第３の色と、前記第１の色とにより形成され、前記表面の変色前には前記印刷層の前記第３の色のみが視認され、前記表面の変色後に前記印刷層の第３の色及び前記第１の色が組み合わされて視認される構造としてもよい。
【０００９】
かかる構造によれば、始めから現れている第３の色だけでは完全な図柄やメッセージを成さず、第１の色が浮きあがった際に初めて両者が組み合わされて完全な図柄やメッセージが現れることとなる。
【００１０】
さらに、前記印刷層は、前記第１の色と前記第２の色とにより形成され、前記表面の変色前は第２の色の前記印刷層が視認され、前記表面の変色後は第１の色の前記印刷層が視認される構造としてもよい。
【００１１】
かかる構造によれば、２種類の図形や文字をそれぞれの印刷層で表現し、変色前と変色後で選択的に一方の図形や文字を表示することができる。
【考案の効果】
【００１２】
以上説明したように、本件考案のゴルフボールによれば、表面が第１の色から第２の色に変色するに従って、視認できる模様を変化させることができ、趣向性に富むゴルフボール１とすることができる。
【考案を実施するための最良の形態】
【００１３】
（第一実施形態）
上記した本考案のゴルフボールの実施形態を図面を用いて説明する。本実施形態のゴルフボールを図１及び図２に示す。
【００１４】
図１に示すように、本実施形態のゴルフボールの構成を説明する。同図に示すように、一般的なゴルフボール１は、大きな反発係数を有するラバー素材からなるコア２と、コア２をインサート成形してなる樹脂製のカバー３とから構成される。
【００１５】
カバー２は、通常、アイオノマー樹脂等の合成樹脂材料で形成されるが、紫外線（太陽光）が照射されることにより白色から有色に変色する特殊顔料をこれに混合させることにより、ゴルフボール１の表面を変色させることができる。なお、一例として、紫外線により、白色からクロームイエローに変色する特殊顔料として、＜3,3-Diphenyl-3H-naphto(2,1-b)pyran＞があり、白色から青色に変色する特殊顔料として、＜1,3-dihydro-1,3,3--6'trimethyl-(2,3-dihydro-1H-indole-1-yl)spiro[2h-indole-2,8'-[3H]naphto[2,1-b][1,4]Oxazine＞があり、さらに白色から紫色に変色する特殊顔料として＜spiro(2H-2,3-(3H)naphtha(2,1-b)(1,4)Oxazine)-1,3-dihydro-1,3,3-trimethyl-6'-(1-piperidinyl＞(CAS number;114747-45-4)がある。
【００１６】
かかるゴルフボール１は、その表面１ａ上に所定の形状や文字を現す印刷層４を形成している。この印刷層４は変色せず、不透明な剥離し難い、例えばウレタン系塗料により形成されており、例えば白色であり、ゴルフボール１の表面１ａが通常の状態にあっては、背景が白色となるため視認されない状態となる。
【００１７】
本考案のゴルフボールの作用を次に説明する。図２(ａ）にゴルフボール１がその表面１aの変色前の状況を示すが、表面１aは第１の色たる白色Ａであり、印刷層４も第１の色たる白色Ａである。このため、印刷層４による文字および図形は視認されず、一見、単なる白色Ａのゴルフボール１となる。
【００１８】
次に、ゴルフボール１が所定時間、太陽光にさらされると、表面１ａが第２の色たる黄色Ｂに変色する。表面１ａが黄色Ｂ変色するのに対して白色Ａの印刷層４は変色することがなく、両者のコントラストにより、印刷層４の文字と図形が浮かび上がって視認される。
【００１９】
このため、ゴルフの競技を行う際に、最初、ゴルフボール１の表面３に文字や図形が視認されない状態であるが、その後、ゴルフボール１が所定の紫外線を受けることにより、表面１ａが変色することで相対的に文字や図形が視認されることとなる。このため、趣向に富んだゴルフボール１となり、表面１ａの変色によって現れる文字や図形によって多様な話題を提供することができる。
【００２０】
また、所定紫外線量により変色する設定を行えば、そのボールを使用する競技者に日射量を告知することができる。例えば、所定日射量を超えると「日焼け注意！」や「日射病注意！」といったような文字や図形を表示させて競技者に注意を促す機能を持たせることもできる。
【００２１】
（第ニ実施形態）
上記した本考案のゴルフボールの第二実施形態を図３に示す。第一実施形態と同一の構成については同じ符号を付して説明を省略する。
【００２２】
本実施形態のゴルフボール１は、第一実施形態と同様に白Ａの第１印刷層５とともに、表面１ａに第三の色、例えば赤Ｃの第２印刷層６を有する。
【００２３】
これにより、赤Ｃの印刷層６はゴルフボール１の表面１ａが変色前の白Ａであっても変色後の黄色Ｂであっても、いずれの場合も視認される。一方、ゴルフボール１の表面１ａが黄色Ｂに変色した場合は、第１実施形態と同じように第１印刷層５と第２印刷層６が同時に視認されることとなり、両者を合わせたメッセージが表示されることとなる。図２(ａ）に示すように、ゴルフボール１の変色前には第２印刷層５のハートマークのみが現れるのに対して、図２(ｂ）に示すように変色後はハートマークの両側に第１印刷層６が現れることにより、両者が組み合わされて「Ｉ Love（ハートマーク）Hawaii」というメッセージが現れることとなる。
【００２４】
（第三実施形態）
本考案のゴルフボールの第三実施形態を図４に示す。第一実施形態と同一の構成については同じ符号を付して説明を省略する。
【００２５】
本実施形態のゴルフボール１は、第一実施形態と同様に白Ａの第１印刷層７に加えて、黄色Ｂの第２印刷層８を付している。すなわち、第１印刷層７は変色前のゴルフボール１の表面１ａ（白Ａ）と同色に、第２印刷層８は変色後のゴルフボール１の表面１ａ（黄色Ｂ）と同色により、マークが表示されている。
【００２６】
このため、本実施形態のゴルフボール１は、表面１ａの変色前は第１印刷層７のマークが視認できず第２印刷層８のマークのみが現れ、逆に表面１ｂの変色後は第２印刷層８のマークが消え印刷層７のマークのみが現れることとなる。
【００２７】
このように、本実施形態のゴルフボール１では、表面１ａの変色に伴って表面に現れる画像を変化させることができる。
【００２８】
なお、上記第一乃至第三実施形態においては、ゴルフボール１の表面１ａの色を白色Ａ（第１の色）から黄色Ｂ（第２の色）に変化する例を示したが、勿論、第１の色、第２の色、第３の色は互いに異なる色であればよく、これに限られるものではない。例えば、赤色といった有彩色から白色に変色するといったようなゴルフボールでもよい。変色する顔料によって、多様な色の組み合わせが考えられる。
【００２９】
また、上記第一乃至第三実施形態では、紫外線の照射を受けて色が変色するゴルフボールを例に挙げて説明したが、温度により変色する顔料をカバー層に含有させることで気温によって画像を変化させることができるゴルフボールとすることもできる。
【産業上の利用可能性】
【００３０】
上記考案は、表面が変色するに従って視認できる模様や文字を変化させることができ、趣向性に富むゴルフボールとして採用することが可能である。
【図面の簡単な説明】
【００３１】
【図１】本考案にかかる第一実施形態のゴルフボールの一部断面斜視図である。
【図２】同ゴルフボールの作用を示す説明図である。
【図３】第二実施形態にかかるゴルフボールの作用を示す説明図である。
【図４】第三実施形態にかかるゴルフボールの作用を示す説明図である。
【符号の説明】
【００３２】
１  …  ゴルフボール
１ａ  …  表面
２  …  コア
３  …  カバー
４、５、６、７、８  …  印刷層
Ａ  …  第１の色
Ｂ  …  第２の色
Ｃ  …  第３の色
【図１】
0003104373.tif 000003
【図２】
0003104373.tif 000004
【図３】
0003104373.tif 000005
【図４】
0003104373.tif 000006